(57)【要約】【課題】作業者の疲労を可及的に軽減できるようにされて、点検作業の正確度、信頼性、及び効率を向上させることができる構造体等の点検具を提供する。【解決手段】建造物の構造体等を形成するモルタル、タイル、コンクリート等に、剥離、劣化、膨張、空気・異物混入等が生じているか否かを表面側から非破壊で点検するために用いられるもので、支軸部（２５）を有する操作棹（２０）と、前記支軸部（２５）に回転自在に支持されて構造体等の表面（１ａ）に接当しながら転動せしめられる転打子（３０）と、を備え、前記転打子（３０）は、横断面外形が５ないし８辺の多角形で縦断面外形が円弧ないし楕円弧状の対向辺を持ち、その外周面が５ないし８の円筒面又は楕円筒面からなる転打面（３２）に等分割されてなる。【選択図】　図２
2004028581.tif 000002
【特許請求の範囲】
【請求項１】
建造物の構造体等を形成するモルタル、タイル、コンクリート等に、剥離、劣化、膨張、空気・異物混入等が生じているか否かをその表面側から非破壊で点検するために用いられる点検具であって、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっていることを特徴とする構造体等の点検具。
【請求項２】
前記転打子は，その外周面が５ないし８の円筒面又は楕円筒面からなる転打面に等分割されていることを特徴とする請求項１に記載の構造体等の点検具。
【請求項３】
前記転打子は、ステンレス等の金属製であることを特徴とする請求項１又は２に記載の構造体等の点検具。
【請求項４】
前記転打子の中心軸線上に雌ねじ穴が形成されるとともに、この雌ねじ穴が螺合せしめられる雄ねじ部材が前記支軸部に回転自在に外嵌され、前記支軸部に前記雄ねじ部材の軸方向の移動を規制する係止手段が設けられていることを特徴とする請求項１から３のいずれかに記載の構造体等の点検具。
【請求項５】
前記転打子は、その回転軸線が前記操作棹上又は前記操作棹と平行になるように配在されていることを特徴とする請求項１から４のいずれかに記載の構造体等の点検具。
【請求項６】
前記転打子は、その回転軸線が前記操作棹に直交するように配在されていることを特徴とする請求項１から４のいずれかに記載の構造体等の点検具。
【請求項７】
前記操作棹が伸縮可能とされていることを特徴とする請求項１から６のいずれかに記載の構造体等の点検具。
【発明の詳細な説明】
【０００１】
【発明の属する技術分野】
本発明は、建造物の躯体、壁部、床部等（以下、全てをまとめて構造体等と称する）を形成するモルタル、タイル、コンクリート等に、剥離、劣化、膨張、空気・異物混入等が生じているか否かをその表面側から非破壊で点検するために用いられる構造体等の点検具に関する。
【０００２】
【従来の技術】
例えば、建造物本体の壁面に付着ないし張り付けたモルタルやタイル、あるいは、トンネル内壁部を形成するコンクリート等に、剥離、劣化、膨張、空気・異物混入等が生じていると、その剥離劣化等が生じている箇所（及びその周辺部）が脱落して大事故を引き起こすおそれがある。しかし、上記のような建造物の構造体等における剥離劣化等は、構造体等の表面を目視しただけでは見つけることが難しい。
【０００３】
そこで、従来においては、構造体等の表面を点検用ハンマーでくまなく叩打して、その打撃音（反響音）の微妙な違いに基づいて、剥離劣化等が生じている箇所と健全箇所とを判別するようにしていた（一般に打診法と称される）。
【０００４】
【発明が解決しようとする課題】
しかしながら、前記のような点検用ハンマーを用いた打診法による点検作業は、単純作業ではあるが、高所やトンネル天井面等の点検に際してはゴンドラや梯子等に搭乗して不安定な状態、不自然な姿勢でハンマーを振る必要等もあって、極めて多大な疲労を伴い、作業が長時間に及ぶに従い、叩打点の間隔が広くなる傾向がある等、点検作業の正確度、信頼性が問題となる場合が少なからずあるとともに、作業効率も良いものではなかった。
【０００５】
本発明は、前記した如くの問題を解消すべくなされたもので、その目的とするところは、建造物の構造体等におけるモルタルやコンクリート等に剥離劣化等が生じているか否かをその表面側から非破壊で点検することができ、しかも、作業者の疲労を可及的に軽減できるようにされて、点検作業の正確度、信頼性、及び効率を向上させることができる構造体等の点検具を提供することにある。
【０００６】
【課題を解決するための手段】
前記の目的を達成すべく、本発明に係る構造体等の点検具は、建造物の構造体等を形成するモルタル、タイル、コンクリート等に、剥離、劣化、膨張、空気・異物混入等が生じているか否かをその表面側から非破壊で点検するために用いられるもので、基本的には、支軸部を有する操作棹と、前記支軸部に回転自在に支持されて構造体等の表面に接当しながら転動せしめられる転打子と、を備え、前記転打子は、横断面外形が５ないし８辺の多角形で縦断面外形が円弧ないし楕円弧状の対向辺を持つ多面体からなっていることを特徴としている。
【０００７】
前記転打子は，好ましくは、その外周面が５ないし８の円筒面又は楕円筒面からなる転打面に等分割されてなる。
また、前記転打子の材質は、ステンレス等の金属製であることが好ましいが、セラミックやプラスチック等であってもよい。
【０００８】
本発明に係る構造体等の点検具は、より具体的な好ましい態様では、前記転打子の中心軸線上に雌ねじ穴が形成されるとともに、この雌ねじ穴が螺合せしめられる雄ねじ部材が前記支軸部に回転自在に外嵌され、前記支軸部に前記雄ねじ部材の軸方向の移動を規制する係止手段が設けられてなる。
【０００９】
また、前記転打子は、好ましくは、その回転軸線が前記操作棹上又は前記操作棹と平行になるように配在されるか、あるいは、その回転軸線が前記操作棹に直交するように配在される。
さらに、前記操作棹は、好ましくは、伸縮可能とされる。
【００１０】
このような構成とされた本発明に係る点検具を用いて、構造体等を形成するモルタル、タイル、あるいは、コンクリート等に剥離劣化等が生じているいるか否かを点検するに際しては、操作棹を手に持って転打子を構造体等の表面に押し当て、この状態で、操作棹を左右、前後、あるいは上下に振るか又は移動させる。
【００１１】
これにより、転打子は、構造体等の表面から離れることなく、その外周面の角部が構造体等の表面との間の摩擦係止力により支点となって転動する。ここで、横断面外形が正六角形の転打子の場合は、概ね６０度回転する毎に、転打面が構造体等の表面に接当して打撃音を発する。つまり、転打子が支軸回りを１回転する間に、６面の転打面が構造体等の表面に次々と接当して、６回の打撃音が概ね等間隔で発せられる。この場合、本発明の点検具は、転打子の転打面が円筒面又は楕円筒面とされているので、転打子の転動時に、転打面は構造体等の表面に線接触して打撃音を発する。線接触であることから、例えば転打子が六角ナットのような形状をしていて転打面全体が接触（面接触）する場合に比して、接当圧が格段に大きくなるので、転打子が小さくても、また、構造体等の表面への転打子の押し付け力が弱くても大きな打撃音が発せられる。さらに、転打子の回転軸線が構造体等の表面に対して多少傾斜していても所要の打撃音が得られる。
【００１２】
したがって、かかる転打面が構造体等の表面に次々と接当したときに発せられる打撃音（反響音）に基づいて、点検用ハンマーを用いた場合と同様に、剥離劣化等が生じている箇所と健全箇所とを判別することができる。
【００１３】
このように本発明の点検具では、建造物の構造体等におけるモルタルやコンクリート等に剥離劣化等が生じているか否かをその表面側から非破壊で点検することができることに加えて、転打子を構造体等の表面に沿って転動させて打撃音を得るようにしているので、従来のハンマーを用いる場合に比して、点検作業を容易にしかも効率良く行え、作業者の疲労を可及的に軽減でき、点検作業の正確度、信頼性を向上させることができる。
【００１４】
【発明の実施の形態】
以下、本発明の実施の形態を図面を参照しながら説明する。
【００１５】
図１、図２は、それぞれ本発明に係る構造体等の点検具の一実施形態を示す分解斜視図、断面図、図３は、この点検具を用いて壁部の点検作業を行っている状態を示す図である。
【００１６】
図示実施形態の点検具１０は、図４、図５に示される建造物の壁部１等を形成するモルタル、タイル、コンクリート等に、剥離、劣化、膨張、空気・異物混入等が生じているか否かをその表面１ａ側から非破壊で点検するために用いられるもので、全体が支軸部２５とされた操作棹２０（約５０〜６０ｃｍ）と、前記支軸部２５に回転自在に支持されて壁部表面１ａに接当しながら転動せしめられる転打子３０と、を備える。
【００１７】
前記転打子３０は、ステンレス等の金属製で直径が２５ｍｍ程度とされ、図１、図２加えて、図２（Ｂ）のＸ矢視図である図４（Ａ）、及び図２（Ｂ）のＹ矢視図である図４（Ｂ）を参照すればよくわかるように、横断面外形が正六角形で縦断面外形が円弧又は楕円弧の対向辺を持つ多面体とされ、その外周面が６面の円筒面からなる転打面３２、３２、・・・に等分割されている。
【００１８】
この転打子３０は、その中心軸線（回転軸線）Ｏが前記操作棹２０上、つまり、前記支軸部２５の中心軸線と一致するように配在されている
より詳細には、図２に示される如くに、前記転打子３０の中心軸線（回転軸線）Ｏ上に有底の雌ねじ穴３５が形成されるとともに、この雌ねじ穴３５が螺合せしめられる側面視逆Ｔ字状の筒状体とされた雄ねじ部材４０が前記支軸部２５に回転自在に外嵌され、前記支軸部２５における前記雄ねじ部材４０より先端側に、該雄ねじ部材４０が前記支軸部２５から抜け落ちるのを阻止する係止手段としてのストッパ４５が外嵌固定されている。
【００１９】
前記転打子３０は、支軸部２５の上方から前記雄ねじ部材４０にねじ込まれて固定係止されており、その雌ねじ穴３５の円錐状天底部３６が支軸部２５の半球状先端部に乗るようになっている。
【００２０】
このような構成とされた本実施形態の点検具１０を用いて、壁部１を形成するモルタル、タイル、あるいは、コンクリート等に剥離劣化等が生じているか否かを点検するに際しては、図３に示される如くに、操作棹２０を手に持って転打子３０を壁部表面１ａに押し当て、この状態で、操作棹２０を左右、前後、あるいは上下に振るか又は移動させる。
【００２１】
これにより、転打子３０は、図５に示される如くに、壁部表面１ａから離れることなく、その外周面の角部３３、３３、・・・が壁部表面１ａとの間の摩擦係止力により支点となって転動する。ここで、本実施形態の転打子３０は、横断面外形が正六角形であるから、概ね６０度回転する毎に、転打面３２、３２、・・・が壁部表面１ａに接当して打撃音を発する。つまり、転打子３０が支軸回りを１回転する間に、６面の転打面３２が壁部表面１ａに次々と接当して、６回の打撃音が概ね等間隔で発せられる。この場合、本実施形態の点検具１０は、転打子３０の転打面３２、３２、・・・が円筒面とされているので、該転打子３０の転動時に、転打面３２、３２、・・・は壁部表面１ａに線接触して打撃音を発する。線接触であることから、例えば転打子が六角ナットのような形状をしていて転打面全体が接触（面接触）する場合に比して、接当圧が格段に大きくなるので、転打子３０が小さくても、また、壁部表面１ａへの転打子３０の押し付け力が弱くても大きな打撃音が発せられる。さらに、転打子３０の回転軸線Ｏが壁部表面１ａに対して多少傾斜していても所要の打撃音が得られる。
【００２２】
したがって、かかる転打面３２、３２、・・・が壁部表面１ａに次々と接当したときに発せられる打撃音（反響音）に基づいて、点検用ハンマーを用いた場合と同様に、剥離劣化等が生じている箇所と健全箇所とを判別することができる。
【００２３】
このように本実施形態の点検具１０では、建造物壁部１におけるモルタルやコンクリート等に剥離劣化等が生じているか否かを壁部表面１ａ側から非破壊で点検することができることに加えて、転打子３０を壁部表面１ａに沿って転動させて打撃音を得るようにしているので、従来のハンマーを用いる場合に比して、点検作業を容易にしかも効率良く行え、作業者の疲労を可及的に軽減でき、点検作業の正確度、信頼性を向上させることできる。
【００２４】
図６（Ａ）は、前記実施形態の点検具１０の改良例を示す。改良例の点検具１１は、転打子３０と雄ねじ部材４０は、前記実施形態の点検具１０と同じ構成であるが、支軸部２５’（操作棹２０’）と雄ねじ部材４０の軸方向の移動を規制する係止手段の構成が異なっている。すなわち、前記実施形態の点検具１０では、雄ねじ部材４０の軸方向の移動は、ストッパ４５と転打子３０における雌ねじ穴３５の円錐状天底部３６で規制するようにされている。
【００２５】
それに対し、本改良例の点検具１１では、支軸部２５’が小径軸部２５Ａと大径軸部２５Ｂとからなっており、それらの段差部２５ｄで座金４６を介して前記雄ねじ部材４０の下端面を受け止めて係止している（下落を阻止）。また、前記小径軸部２５Ａの上端近くにリング状の溝２５ｅが形成され、該溝２５ｅに図６（Ｂ）に示される如くのＥ型止め輪４７が装着固定され、このＥ型止め輪４７により座金４６を介して前記雄ねじ部材４０の上端面が係止されている（抜け落ち防止）。したがって、本改良例の点検具１１では、前記段差部２５ｄとＥ型止め輪４７とで前記雄ねじ部材４０の軸方向の移動を規制するようにされている。このようにされることにより、前記実施形態の点検具１０に比して本改良例の点検具１１の方が、前記転打子３０の回転（転動）が安定する。
【００２６】
なお、支軸部２５’に段差部２５ｄを形成しないで、前記支軸部２５’における前記雄ねじ部材４０の上下にそれぞれリング状の溝２５ｅ、２５ｅを形成してそれらに前記Ｅ型止め輪４７、４７を装着固定し、雄ねじ部材４０を上下一対のＥ型止め輪４７、４７で係止するようにしてもよい。
【００２７】
また、改良例の点検具１１では、操作棹２０’が図７に示される如くに多段伸縮式とされている。すなわち、支軸部２５’の下側に６本の延長パイプ２６Ａ、２６Ｂ、２６Ｃ、２６Ｄ、２６Ｅ、２６Ｆが継ぎ足されている。最上段の延長パイプ２６Ａには、支軸部２５’が摺動可能に嵌挿保持されるようになっており、最上段の延長パイプ２６Ａは、次段の延長パイプ２６Ｂに摺動可能に嵌挿保持され、以下、同様に、上段側の延長パイプ２６Ｂ、２６Ｃ、２６Ｄ、２６Ｅはそれぞれ下段側の延長パイプ２６Ｃ、２６Ｄ、２６Ｅ、２６Ｆに摺動可能に嵌挿保持されるようになっていて、最下段の延長パイプ２６Ｆにはグリップ２７が外嵌固定されている。各延長パイプ２６Ａ〜２６Ｆにおける上端から若干下がった部位には、内方に凹むリング状の係止溝２８が形成され（延長パイプ２６Ａのものが代表して示されている）、支軸部２５’及び各延長パイプ２６Ａ〜２６Ｅの下端付近の外周には、前記係止溝２８に掛止される突起２９が突設されている（支軸部２５’のものが代表して示されている）。
【００２８】
したがって、かかる構成の点検具１１では、図７において一点鎖線で示されている、操作棹２０’を最も縮めた状態から転打子３０が取り付けられた支軸部２５’を引き出すと、該支軸部２５’の下端付近に設けられた突起２９が延長パイプ２６Ａに形成された係止溝２８に引っ掛かって、延長パイプ２６Ａが延長パイプ２６Ｂから引き出され、その引き出された位置で保持され、さらに延長パイプ２６Ａを引き出すと、今度は延長パイプ２６Ｂが延長パイプ２６Ｃから引き出され、同様に上段側の延長パイプを引き出す毎に次々と下段の延長パイプが引き出される。これにより、操作棹２０’は、最も伸ばされた状態では、その全長が支軸部２５’の７倍近い長さとなる。したがって、多段伸縮式の操作棹２０’を備えた点検具１１は、高所等の点検作業を梯子等を使用しなくても行うことができる。
【００２９】
また、上記実施形態では、転打子は、横断面外形が正六角形とされているが、それに代えて、横断面外形が正五角形や正八角形のものも使用できる。しかし、横断面外形が正三角形や正方形、長方形のものでは、角部を支点にして回転させることが難しく（構造体等の表面を滑ってしまう）、また、横断面外形が九角形以上のものでは、転打面間の回転角度が小さくなる（４５°未満）ので、所要の打撃音が得られに難い。
【００３０】
さらに、前記実施形態では、転打子３０は、その回転軸線Ｏが前記操作棹２０上に（前記操作棹２０と平行になるように）配在されているが、これに限られることはなく、例えば、図８に示される如くに、操作棹２０’の先端ロッド２４にＬ形ブラケット５５等を継ぎ足して、前記転打子３０を、その回転軸線Ｏが前記操作棹２０’に直交するように配在してもよい。かかる構成の点検具１２は、トンネル内壁部の天井面の点検を行う場合等に好適である。
【００３１】
【発明の効果】
以上の説明から理解されるように、本発明に係る構造体等の点検具は、建造物の構造体等におけるモルタルやコンクリート等に剥離劣化等が生じているか否かを表面側から非破壊で点検することができることに加えて、転打子を構造体等の表面に沿って転動させて打撃音を得るようにしているので、従来のハンマーを用いる場合に比して、点検作業を容易にしかも効率良く行え、作業者の疲労を可及的に軽減でき、点検作業の正確度、信頼性を向上させることができる。
【図面の簡単な説明】
【図１】本発明に係る構造体等の点検具の一実施形態を示す分解斜視図。
【図２】図１に示される点検具を示し、（Ａ）は転打子周りの縦断面図、（Ｂ）は（Ａ）のＢ−Ｂ矢視断面図。
【図３】図１、図２に示される点検具を使用して壁部の点検作業を行っている状態を示す図。
【図４】図１、図２に示される点検具の使用状態を示す側面図であり、（Ａ）は図２（Ｂ）のＸ矢視図、（Ｂ）は図２（Ｂ）Ｙ矢視図。
【図５】図１、図２に示される点検具の動作説明に供される図。
【図６】（Ａ）は、図１、図２に示される点検具の改良例における転打子周りの縦断面図、（Ｂ）は（Ａ）で使用されている係止手段としてのＥ型止め輪の平面図である。
【図７】図６に転打子周りが示されている点検具の操作棹部分の説明に供される図。
【図８】転打子の回転軸線を操作棹に直交するように配在した例を示す図。
【符号の説明】
１　　　壁部
１ａ　　壁部の表面
１０　　点検具
２０　　操作棹
２５　　支軸部
２５ｄ　　段差部
２５ｅ　　係止溝
２６（２６Ａ〜２６Ｆ）　　延長パイプ
３０　　転打子
３２　　転打面
３３　　角部
３５　　雌ねじ穴
４０　　雄ねじ部材
４５　　ストッパ
４６　　座金
４７　　Ｅ型止め輪
【図１】
2004028581.tif 000003
【図２】
2004028581.tif 000004
【図３】
2004028581.tif 000005
【図４】
2004028581.tif 000006
【図５】
2004028581.tif 000007
【図６】
2004028581.tif 000008
【図７】
2004028581.tif 000009
【図８】
2004028581.tif 000010